(57)【要約】      （修正有）【課題】容易に装着して取外すことのできる帯であって、飾り結びを付することができ、クリップ等の更性の固定具を使用しない帯を提供する。【解決手段】一軸方向を長手とし、この長手の一端に飾結び２が固定された本体１、長手の他端を本体の胴部の裏面に着脱可能に固定する内紐３ａ，３ｂ、及び飾結びを身体に固定する外紐４ａ，４ｂを含んで帯１０が構成される。本体をその他端から身体に巻き付けて内紐を用いて固定し、その一端に固定された飾結びを外紐を用いて身体に固定することで、容易に帯を装着することができる。また、外紐の結びを解き、身体に巻き付けた本体を胴回りの約半分解き、内紐の結びを解くことで容易に取外すことができる。【選択図】図１
0003194143.tif 000002
【実用新案登録請求の範囲】
【請求項１】
身体に巻き付けて装着する帯であって、
一軸方向を長手とし、該長手の一端に飾部が固定された本体と、
前記長手の他端を前記本体の胴部の裏側に着脱可能に固定する第１固定部材と、
前記飾部を前記身体に固定する第２固定部材とを備えることを特徴とする、帯。
【請求項２】
前記第１固定部材は、前記本体の前記長手の他端と、該他端から前記身体の周長より短い距離離れた前記胴部の裏面上の位置と、のそれぞれに固定された一対の内紐であることを特徴とする、請求項１に記載の帯。
【請求項３】
前記第１固定部材は、前記本体の前記長手の他端と、該他端から前記身体の周長だけ離れた位置を含む前記胴部の裏面上の範囲と、のそれぞれに固定された一対の面ファスナであることを特徴とする、請求項１に記載の帯。
【請求項４】
前記第２固定部材は、前記飾部の前記長手の方向の両側に固定された一対の外紐であることを特徴とする、請求項１〜３のいずれか一項に記載の帯。
【請求項５】
前記一対の外紐は、前記飾部の上側に固定されていることを特徴とする、請求項４に記載の帯。
【請求項６】
前記本体は、前記一軸方向を長手とする一片の帯状部材を前記長手に対する短手の方向に折り、折り曲げて重なる前記短手の両端を少なくとも一部の開口部を除いて閉じることで成形され、
前記短手の両端は前記本体の上縁であり、
前記開口部の下方に、重なった２枚の帯状部材を閉じて形成されたポケットを有することを特徴とする、請求項１〜５のいずれか一項に記載の帯。
【請求項７】
前記本体は、前記長手に対する短手の方向に折り曲げ可能に構成されていることを特徴とする、請求項１〜６のいずれか一項に記載の帯。
【考案の詳細な説明】
【技術分野】
【０００１】
本考案は、身体に巻き付けて装着する帯に関する。
【背景技術】
【０００２】
着物、浴衣等の着付けにおいて、帯を締めることは困難であり、例えば着付け教室に通って習得するような高度な技能を要する。そこで、独力で容易に装着することのできる帯が考案されている。
【０００３】
例えば特許文献１には、身体に巻き付ける胴巻き帯（本体）、予め所望の形に結ばれて本体に固定された帯結び、及び本体の両端に取り付けられ、身体に巻き付けられた帯本体を固定する一対の装着紐、から構成される帯が開示されている。また、特許文献２には、１つの帯片から一体成形された本体と帯結び、本体の両端に取り付けられ、身体に巻き付けられた本体を固定する一対の装着紐、及び本体を仮止めするための一対の仮止め紐、から構成される帯が開示されている。
【０００４】
特許文献１及び２に記載された帯は、背面にいわゆる太鼓を付した袋帯である。帯本体の両側が太鼓の箇所に配置され、そこから伸びる紐によって帯本体を固定するものである。これに対し、背面に飾り結びを設ける飾り結び帯では、本体の端部が飾り結びになるため、そこから伸びる紐によって本体を固定することでは不格好な帯となってしまう。特許文献１及び２に記載された構造は、飾り結び帯に活用することができない。
【０００５】
背面に飾り結びを設ける帯を容易に締めるためのものとして、飾り結びのみを予め生成した作り帯が知られている。胴体部分に巻いた帯の後ろ中心部分に作り帯を上から差込み、金属やプラスチックなどのクリップで固定することで締めることができる。
【０００６】
しかし、一人で背中、中心部に作り帯を上から差し込むのは困難で、位置決めが難しい。また、クリップの把持力が弱いと作り帯が落下してしまうこともある。更に、クリップ部分が背中に当たるため、椅子に座ることや自動車を運転することの妨げになる。
【先行技術文献】
【特許文献】
【０００７】
【特許文献１】特開２００９−１９１４２６号公報
【特許文献２】特開２００８−２８０６２９号公報
【考案の概要】
【考案が解決しようとする課題】
【０００８】
本考案は、容易に装着して取外すことのできる帯であって、飾り結びを付することができ、クリップ等の更性の固定具を使用しないものを提供することを課題とする。
【課題を解決するための手段】
【０００９】
本考案の帯は、
身体に巻き付けて装着する帯であって、
一軸方向を長手とし、該長手の一端に飾部が固定された本体と、
前記長手の他端を前記本体の胴部の裏側に着脱可能に固定する第１固定部材と、
前記飾部を前記身体に固定する第２固定部材とを備えることを特徴とする。
【００１０】
これによれば、本体をその他端から身体に巻き付けて第１固定部材を用いて固定し、その一端に固定された飾部を第２固定部材を用いて身体に固定することで、容易に帯を装着することが可能となる。
【００１１】
ここで本体の長さは、身体の周長のおよそ１．５倍（例えば１．３倍〜１．７倍）であることが好ましい。身体の周長に等しい長さだけの本体を身体に巻き付け、身体の前（腹側）において第１固定部材を用いて固定する。それに加えて、身体の周長のおよそ０．５倍の長さの本体によって飾部を身体の後（背側）に回し込む。
【００１２】
ここで「飾部」は、飾り結びの形状のもの（疑似作り帯）であることを基本とするが、太鼓の形状等、他の形状であってもよい。
【００１３】
本考案の帯は、
前記第１固定部材は、前記本体の前記長手の他端と、該他端から前記身体の周長より短い距離離れた前記胴部の裏面上の位置と、のそれぞれに固定された一対の内紐であることを特徴とする。
【００１４】
これによれば、一対の内紐により、身体の周長に合わせて長さを調整しつつ、身体に巻き付けた本体を固定することができる。
【００１５】
本考案の帯は、
前記第１固定部材は、前記本体の前記長手の他端と、該他端から前記身体の周長だけ離れた位置を含む前記胴部の裏面上の範囲と、のそれぞれに固定された一対の面ファスナであることを特徴とする。
【００１６】
これによれば、一対の面ファスナにより、身体の周長に合わせて長さを調整しつつ、身体に巻き付けた本体を固定することができる。一対の面ファスナは、一対の内紐と同様に機能する。以下、一対の内紐により説明するが、一対の面ファスナでも同様である。
【００１７】
本考案の帯は、
前記第２固定部材は、前記飾部の前記長手の方向の両側に固定された一対の外紐であることを特徴とする。
【００１８】
これによれば、一対の外紐を用いて飾部を身体に固定することができる。
【００１９】
ここで、飾部を長手方向に貫通して飾部に固定された１本の紐は、「飾部の長手の方向の両側に固定された一対の外紐」である。「紐」は一端が固定され他端が解放されたものであり、中央が固定され両端が開放された場合には２本の紐となる。
【００２０】
本考案の帯は、
前記一対の外紐は、前記飾部の上側に固定されていることを特徴とする。
【００２１】
これによれば、一対の外紐が本体の上縁近くに存するので、飾部を身体に固定した後に、容易に本体の裏側に入れて隠すことができる。また、飾部の重心よりも上側が固定されるので、飾部が安定して固定される。
【００２２】
本考案の帯は、
前記本体は、前記一軸方向を長手とする一片の帯状部材を前記長手に対する短手の方向に折り、折り曲げて重なる前記短手の両端を少なくとも一部の開口部を除いて閉じることで成形され、
前記短手の両端は前記本体の上縁であり、
前記開口部の下方に、重なった２枚の帯状部材を閉じて形成されたポケットを有することを特徴とする。
【００２３】
これによれば、本体にポケットが設けられ、小物を収容することができる。帯を用いて和服を着用する場合、和服にはポケットがなく、帯に設けられたポケットが便利である。
【００２４】
本考案の帯は、本体は、長手に対する短手の方向に折り曲げ可能に構成されていることを特徴とする。
【００２５】
これによれば、本体を折り曲げて、その幅を調整することができる。なお、「折り曲げ可能」とは、更性の本体に折り曲げのための線状軟性部を設けることも、本体が自由に折り曲げられる素材（例えば布）であることも、含む。
【考案の効果】
【００２６】
本考案によれば、容易に装着して取外すことのできる帯であって、飾り結びを付することができ、クリップ等の更性の固定具を使用しないものを提供することができる。
【図面の簡単な説明】
【００２７】
【図１】図１（Ａ）及び（Ｂ）は、一実施形態に係る帯の構成を示す図（正面図及び背面図）である。
【図２】図２は、本体の断面構成とポケットの構成を示す図である。
【図３】図３は、本体の幅を調整する方法を説明するための図である。
【図４】図４は、帯の装着方法を説明するための図（その１）である。
【図５】図５は、帯の装着方法を説明するための図（その２）である。
【図６】図６は、帯の装着方法を説明するための図（その３）である。
【図７】図７は、帯の装着方法を説明するための図（その４）である。
【図８】図８（Ａ）及び（Ｂ）は、変形例に係る帯の構成を示す図（正面図及び背面図）である。
【考案を実施するための形態】
【００２８】
以下、本考案の一実施形態について説明する。
【００２９】
図１に、本実施形態に係る帯１０の構成を示す。図１（Ａ）は帯１０の正面、図１（Ｂ）は帯１０の背面を示す。帯１０は、本体１、飾結び２、内紐３ａ，３ｂ、及び外紐４から構成される。帯１０は、一例として、着物、浴衣等の和服（着物等と呼ぶ）の上から時計回り（右巻き）に身体を締める帯として使用する。なお、左巻きの場合も同様に本考案の帯を使用することができる。
【００３０】
本体１は、一軸方向（図面左右方向）を長手として、身体に巻き付ける帯本体である。本体１は、胴回り（身体の周長）の約１．５倍の長さ及び一例として約１５ｃｍの幅を有する。なお、具体的なサイズは任意に定めることとしてよく、例えば女性又は男性及び大人又は子供の別等に対して幾通りかのサイズを定めるとよい。
【００３１】
図２に、本体１の断面構成とポケット１ｂの構成を示す。本体１は、一軸方向を長手とする一片の布地を短手方向（図面上下方向）に２つに折り、互いに重なるその短手の両端（図中の上端）を少なくとも一部を除いて縫合して閉じることで成形される。また、図において点線で示す箇所において、２枚の布地を縫合する。それにより、本体１に、閉じられていない部分を開口とするポケット１ｂが形成される。本体１の長手方向に関するポケット１ｂのサイズは任意に定めてよい。
【００３２】
なお、図３に示すように、本体１の上端の折部１ａを外側（又は内側）に折り曲げることで、本体１（帯１０）の幅を調節することができる。これと同時に、ポケット１ｂの開口を閉じることもできる。折部１ａは、例えば、本体１の基端側（図３における左側）を伸長可能に成形する、本体１の基端側を柔軟な布地とする、本体１の基端側の上端に折部１ａの幅と同程度の長さのスリット（不図示）を設けることで、折り曲げ可能に構成される。
【００３３】
本体１の一端（図１（Ａ）における右端）は、上端と下端とを長手に対して斜めに切り落とす又は内側に折り、端部を縫合することで、短手のほぼ中心に先端を有する三角形状に成形されている。本体１の他端（図１（Ａ）における左端）は、上端を残して下端を斜めに切り落とす又は内側に折り、端部を縫合することで、上端に矩形状の取付片１ｃが成形されている。
【００３４】
飾結び２は、着物等の上に帯１を装着することでその着物等を飾る装飾であり、予め、蝶結びの形状に結ばれて成形されている。本実施形態では、蝶結びの形状に成形したが、お太鼓結び、文庫結び、その他の形状であってもよい。飾結び２は、その中心の結び部分２ａの内側に本体１の取付片１ｃを挿入し、縫合することで、本体１に固定されている。
【００３５】
内紐３ａ，３ｂは、本体１（すなわち帯１０）を身体に着脱可能に固定する一対の紐状の固定具である。内紐３ａは、本体１の先端（図１（Ａ）における右端）にその基端を縫合して固定されている。内紐３ｂは、本体１の先端から胴回り（身体の周長）より短い距離離れた胴部の裏面に、本体１の短手の方向に関して内紐３ａの固定位置に合わせて、その基端を縫合して固定されている。内紐３ａ，３ｂの長さは、一例として、互いに等しく、それらを結ぶのに必要な長さと、胴回りと内紐３ａ，３ｂの固定位置の離間距離との差の２分の１と、の和より長いものとする。それにより、後述するように帯１０を装着する際に、内紐３ａ，３ｂにより、胴回り合わせて身体に巻き付ける本体１の長さを調整しつつ、本体１の先端を胴部の裏側に着脱可能に固定することで、身体に巻き付けた本体１を固定することができる。
【００３６】
外紐４ａ，４ｂは、飾結び２を身体（本実施形態では背中）に固定する一対の紐状の固定具である。外紐４ａ，４ｂは、飾結び２の結び部分２ａの内側の上部近傍に基端を縫合して、それぞれ結び部分２ａから一側（図１（Ａ）における右側）及び他側（図１（Ａ）における左側）に引き出されて固定されている。なお、１つの紐部材の中央を結び部分２ａの内側に縫合して固定し、その両端を結び部分２ａの一側及び他側に引き出して外紐４ａ，４ｂとしてもよい。外紐４ａ，４ｂの長さは、一例として、互いに等しく、それらを結ぶのに必要な長さと胴回りの２分の１との和より長いものとする。
【００３７】
外紐４ａ，４ｂが飾結び２（結び部分２ａ）の上側に固定されていることで、後述するように帯１０を装着した際に、飾結び２を安定に身体（背中）に固定することができる。また、飾結び２を固定した外紐４ａ，４ｂを、身体に巻き付けた本体１の裏側（内側）に入れることもできる。なお、この目的において、外紐４を、飾結び２（結び部分２ａ）の下側に固定することとしてもよい。
【００３８】
帯１０の装着の手順について説明する。
【００３９】
まず、帯（本体１）の幅を調整（小さく）したい場合には、図３に示すように本体１の上端の折部１ａを外側（又は内側）に折り曲げる。ここで、折り曲げることでポケット１ｂの開口が閉じられるが、外側に折り曲げる場合には、帯を着用した後で容易に折り曲げ部分を開き戻して（折り曲げを解消するように一時的に変形して）ポケットを使用することができる。
【００４０】
次に、図４に示すように、本体１の先端を（装着者から見て）左に向けて腹部中央（不図示）に当て、本体１の胴部を身体（不図示）に時計回り（右巻き（図面矢印方向））に約１周巻き付ける。なお、図４は、帯１の装着者（不図示）の正面から見た帯１の状態を示す。これに先立って、本体１の折部１ａを外側（又は内側）に折り曲げて帯１０の幅を調節してもよい。それにより、胴部の裏面に固定された内紐３ｂが腹部の前まで回る。そこで、内紐３ａ，３ｂの長さ及び本体１の巻き付け位置を調節して本体１の残りの長さ及び位置を調整し、腹部の前で内紐３ａ，３ｂを結んで本体１を身体に固定する（図５参照）。
【００４１】
次に、図５に示すように、さらに、本体１の残りを身体に巻き付ける。それにより、図６に示すように、飾結び２が背中に回る。なお、図５及び図６は、帯１の装着者（不図示）の背面から見た帯１の状態を示す。ここで、使用者の体型によって飾結び２の位置が背中の中央からずれる場合には、本体１を身体の周りで周回させて位置を合わせる。
【００４２】
最後に、図７に示すように、外紐４ａ，４ｂをそれぞれ身体の左右を回して、腹部の前で結ぶ。なお、図７は、帯１の装着者（不図示）の背面から見た帯１の状態を示す。結んだ外紐４ａ，４ｂは、身体に巻き付けた本体１の裏側（内側）に入れる。それにより、飾結び２が背中に固定され、帯１が装着される。
【００４３】
装着した帯１は、外紐４ａ，４ｂの結びを解き、身体に巻き付けた本体１を胴回りの約半分解き、そして内紐３ａ，３ｂの結びを解くことで取外すことができる。なお、椅子等に座る際など背中の飾結び２が干渉する場合、外紐４ａ，４ｂの結びのみを解き、身体に巻き付けた本体１を胴回りの約半分のみ解くことで、本体１全体を解くことなく、それにより着物等の着衣を乱すこともなく、飾結び２を一時的に退避することができる。
【００４４】
以上詳細に説明したように、本実施形態の帯１０は、一軸方向を長手とし、この長手の一端に飾結び２が固定された本体１、長手の他端を本体１の胴部の裏面に着脱可能に固定する内紐３ａ，３ｂ、及び飾結び２を身体に固定する外紐４ａ，４ｂを含んで構成される。それにより、本体１をその他端から身体に巻き付けて内紐３ａ，３ｂを用いて固定し、その一端に固定された飾結び２を外紐４ａ，４ｂを用いて身体に固定することで、容易に帯１０を装着することができる。また、外紐４ａ，４ｂの結びを解き、身体に巻き付けた本体１を胴回りの約半分解き、内紐３ａ，３ｂの結びを解くことで容易に取外すことができる。
【００４５】
また、本実施形態に係る帯１０によると、飾結び２が本体１に一体成形されているため、本体１を身体に巻き付けることで飾結び２を背中に位置決めし、外紐４を締めることで飾結び２を固定することができる。飾結びが本体と独立に成形され、クリップ等の留め具を用いて飾結びを本体に留める帯の場合のように、飾結びを背中に位置決めし辛い、飾結びが外れやすい、椅子等に座る際に身体との間に留め具を挟む、といった問題が解消される。
【００４６】
なお、本実施形態の帯１０では、外紐４を飾結び２の上側に固定することとしたが、これに代えて又はこれとともに、外紐４の一方を飾結び２の結び部分から本体１の表側に引き出して固定してもよい。このとき、その一方の外紐４の基端を、例えば飾結び２の中央又は下側、或いは本体１の短手の中心に固定するとよい。それにより、外紐４を帯締めとして使用する、すなわち、外紐４を身体に巻き付けた本体１の上に回して結ぶことで、飾結び２とともに本体１を固定することができる。
【００４７】
また、本実施形態の帯１０では、飾結び２を身体に固定する固定具として内紐３ａ，３ｂを採用したが、これに代えて、例えば面ファスナ５ａ，５ｂを採用することもできる。図８に示すように、面ファスナ５ａは、その長手を本体１の長手方向に向けて、本体１の先端表面に接着等により固定されている。面ファスナ５ｂは、その長手を本体１の長手方向に向けて、本体１の先端から胴回り（身体の周長）程度離れた胴部の裏面に接着等により固定されている。面ファスナ５ａ，５ｂの長手方向の長さは、一例として、互いに等しく、帯１０を装着する際に胴回り合わせて本体１の長さを調整するのに好適な長さとする。面ファスナ５ａ，５ｂを採用することで、内紐３ａ，３ｂを用いる場合と同様に胴回りに合わせて長さを調整しつつ身体に巻き付けた本体１を固定することができるとともに、内紐３ａ，３ｂの結び目がなくなり、すっきりしたラインで本体１（帯１０）を固定することができる。
【００４８】
なお、本実施形態に係る帯１０は、例えば、着物等の布地と同一又は布地に合わせた素材を用いて成形することができる。また、帯１０の構成各部について同一の素材を用いて成形することとしてもよいし、それぞれ異なる素材を用いて成形することとしてもよい。
【００４９】
また、本実施形態に係る帯１０は、一例として、着物、浴衣等の和服の上に締める帯として使用する場合を説明したが、これに限らず、洋服、ドレス等の上に締めるバンド、或いはベルトとして使用することも可能である。また、身体に限らず、その他の身体、腕、足、首等に巻き付けて装着することも可能である。係る場合、巻き付ける身体の周長に応じてそのサイズ、特に本体１の長さを変更するものとする。
【００５０】
また、本実施形態に係る帯１０は、一例として、時計回り（右巻き）に身体を締める構成としたが、反時計回り（右巻き）に締める構成としてもよい。係る場合、左右の構成が逆になることを除いて、本実施形態の帯１０と同じ構成を採用することができる。
【産業上の利用可能性】
【００５１】
容易に装着して取外すことのできる帯であって、飾り結びを付することができ、クリップ等の更性の固定具を使用しない帯である。多くの個人による利用が考えられる。
【符号の説明】
【００５２】
１    本体
１ａ  折部
１ｂ  ポケット
１ｃ  取付片
２    飾結び
２ａ  結び部分
３ａ  内紐
３ｂ  内紐
４ａ  外紐
４ｂ  外紐
５ａ  面ファスナ
５ｂ  面ファスナ
１０    帯
【図１】
0003194143.tif 000003
【図２】
0003194143.tif 000004
【図３】
0003194143.tif 000005
【図４】
0003194143.tif 000006
【図５】
0003194143.tif 000007
【図６】
0003194143.tif 000008
【図７】
0003194143.tif 000009
【図８】
0003194143.tif 000010